(57)【要約】【課題】プロジェクタ内の発熱量および温度が増大した場合でも、冷却効率を維持できるプロジェクタを提供すること。【解決手段】本発明のプロジェクタは、プロジェクタ外装筐体に収納され、動作状態に応じてそれぞれ熱を発生させる光源駆動ブロック５および電源ブロック６と、前記光源駆動ブロック５および前記電源ブロック６の間に配置され、前記光源駆動ブロック５を通して空気を吸入する第１吸入口、前記外装筐体内の空気を吸入する第２吸入口７２、および、吸入された空気を前記電源ブロック６に吐出する吐出口７３を有するファンとを備え、  前記第２吸入口７２には、前記第２吸入口７２の開口面積を調節可能とするシール材８が設けられている。【選択図】図３
2007219153.tif 000002
【特許請求の範囲】
【請求項１】
光源と、前記光源から射出された光束を画像情報に応じて変調して光学像を形成する光変調装置と、前記光変調装置で形成された光学像を拡大投射する投射光学装置と、前記各装置を収納する外装筐体とを備えたプロジェクタであって、
前記外装筐体に収納され、前記プロジェクタの動作状態に応じてそれぞれ熱を発生する第１冷却対象および第２冷却対象と、
前記第１冷却対象および前記第２冷却対象の間に配置され、前記第１冷却対象を通った空気を吸入する第１吸入口、前記外装筐体内の空気を吸入する第２吸入口、および、吸入された空気を前記第２冷却対象に吐出する吐出口を有するファンとを備え、
前記第２吸入口には、前記第２吸入口の開口面積を調節可能とする開口面積調節手段が設けられていることを特徴とするプロジェクタ。
【請求項２】
請求項１に記載のプロジェクタにおいて、
前記開口面積調節手段は、前記第２吸入口を部分的に閉塞するシート状部材であることを特徴とするプロジェクタ。
【請求項３】
請求項１に記載のプロジェクタにおいて、
前記第１冷却対象および前記第２冷却対象のうち少なくとも一方の対象温度を検出する温度センサと、
前記温度センサにより検出された前記対象温度を取得する温度取得部と、
前記温度取得部により取得された前記対象温度が所定温度以上であるか否かを判定する温度判定部と、
前記温度判定部により前記対象温度が所定温度以上であると判定された際に、前記開口面積調節手段に前記第２吸入口の開口面積を所定量開口させる開口面積調節制御部とを備えることを特徴とするプロジェクタ。
【請求項４】
請求項１〜請求項３のいずれかに記載のプロジェクタにおいて、
前記第１冷却対象は、前記光源を駆動する光源駆動ブロックであり、
前記第２冷却対象は、前記光源および前記光変調装置に電力を供給する電源ブロックであることを特徴とするプロジェクタ。
【発明の詳細な説明】
【技術分野】
【０００１】
本発明は、プロジェクタに関する。
【背景技術】
【０００２】
従来、光源から射出された光束を、画像情報に応じて光変調装置で変調して光学像を形成し、該光学像を拡大投射するプロジェクタが知られている。
このようなプロジェクタは、動作時に熱を発生する構成、例えば、光源、光変調装置、光源に電力を供給して駆動させる光源駆動ブロック、および、制御装置等に電力を供給する電源ブロック等を備えている。動作時に発生した熱は、やがてプロジェクタの動作不具合を引き起こすため、多くのプロジェクタが、これら構成を冷却させるための冷却機能を備えている（例えば、特許文献１参照）。
【０００３】
特許文献１に記載のプロジェクタは、光源駆動ブロックおよび電源ブロックを冷却するための冷却ファンを備えている。冷却ファンは、外部の空気を、電源ブロックを通して吸入することで電源ブロックを冷却し、さらに、吸入した空気を光源駆動ブロックに吐出することで光源駆動ブロックを冷却している。
【０００４】
【特許文献１】特開２０００−１０１９１号公報
【発明の開示】
【発明が解決しようとする課題】
【０００５】
ところで、プロジェクタの高輝度化は、光学部品の設計仕様の変更ではなく、光源の出力を増大させることで行われることが多い。しかしながら、特許文献１に記載のプロジェクタでは、光源の出力増大に伴って、光源駆動ブロックおよび電源ブロックの発熱量および温度も増大する。すると、例えば、電源ブロックの温度が急激に上昇した場合、電源ブロックを冷却した空気が高温となるため、光源駆動ブロックが十分に冷却されない恐れがある。
このため、特許文献１に記載のプロジェクタに対して、光学部品の設計仕様の変更はなくとも、プロジェクタ内の冷却効率を上げるために、冷却ファンを大型化するなど大規模な構成変更が必要となってしまう。また、このようなプロジェクタの構成変更を行わず、冷却ファンの回転数を増加させることで、冷却効率を上げることも考えられるが、これではファン駆動による電力消費量が増大し、さらに、騒音も大きくなる。
【０００６】
このように、特許文献１に記載のプロジェクタでは、光源の出力増大等のプロジェクタ内の発熱量および温度が増大される仕様変更が行われた際に、プロジェクタ内の冷却効率が維持されないという課題がある。
また、使用状況に応じて光源の出力を可変できる仕様のプロジェクタに対しても、同様の課題が発生する。
【０００７】
本発明の目的は、プロジェクタ内の発熱量および温度が変化した場合でも、冷却効率を維持できるプロジェクタを提供することである。
【課題を解決するための手段】
【０００８】
前記した目的を達するために、本発明のプロジェクタは、光源と、前記光源から射出された光束を画像情報に応じて変調して光学像を形成する光変調装置と、前記光変調装置で形成された光学像を拡大投射する投射光学装置と、前記各装置を収納する外装筐体とを備えたプロジェクタであって、前記外装筐体に収納され、前記プロジェクタの動作状態に応じてそれぞれ熱を発生する第１冷却対象および第２冷却対象と、前記第１冷却対象および前記第２冷却対象の間に配置され、前記第１冷却対象を通った空気を吸入する第１吸入口、前記外装筐体内の空気を吸入する第２吸入口、および、吸入された空気を前記第２冷却対象に吐出する吐出口を有するファンとを備え、前記第２吸入口には、前記第２吸入口の開口面積を調節可能とする開口面積調節手段が設けられていることを特徴とする。
【０００９】
ここで、プロジェクタは、動作時に熱を発生させる第１冷却対象および第２冷却対象を備えている。これら第１冷却対象と第２冷却対象の発熱量は、光源の出力変動に応じてそれぞれ変化する。例えば、第１冷却対象の発熱量が増加すると、第１冷却対象を冷却した空気は高温となり、その後、第２冷却対象を十分に冷却することができない。
【００１０】
これに対し、本発明によれば、プロジェクタは、第１冷却対象を通して空気を吸入する第１吸入口、プロジェクタ外装筐体内の空気を吸入する第２吸入口、および、吸入された空気を第２冷却対象に吐出する吐出口を有するファンを備えており、第２吸入口には、第２吸入口の開口面積を調節する開口面積調節手段が設けられている。これによれば、開口面積調節手段は、第１、第２冷却対象の各発熱量に応じて第２吸入口の開口面積を調節することができる。
例えば、第１冷却対象の発熱量が増加した場合、第１吸入口を介してファンへ吸入される空気は高温となっている。このとき、開口面積調節手段が第２吸入口の開口面積を増大させるので、第２吸入口を介してファンへ吸入される空気量が増加する。すると、第１吸気口を介して吸入された高温の空気と混合される空気量が増加するため、吐出口から吐出される空気の温度上昇が抑えられる。そして、この吐出口から吐出された空気によって第２冷却対象を冷却することができる。
【００１１】
このように、本発明のプロジェクタは、プロジェクタ内の発熱量・温度が変化する仕様変更が行われた際にも、冷却効率を維持することができる。これにより、プロジェクタの構成を大規模に変更する必要はない。さらに、ファンの吸入口の開口面積を調節することで適切な冷却を実現できるため、ファンの回転数を増加させる必要はない。従って、ファンの回転数増加による電力の消費を抑えることができ、省エネルギー化を図ることができる。さらにまた、ファンの回転数増加による騒音の増大を防ぐことができる。
【００１２】
本発明では、前記開口面積調節手段は、前記第２吸入口を部分的に閉塞するシート状部材であることが好ましい。
本発明によれば、開口面積調節手段は、シート状部材であることから構成が簡略化することができる。さらに、シート状部材は、第２吸入口周囲のファン外面に着脱させやすいため、第２吸入口の開口・閉塞が簡単である。さらにまた、開口面積調節手段がシート状部材であることから、プロジェクタが大型化・重量化されることはない。
【００１３】
本発明では、前記第１冷却対象および前記第２冷却対象のうち少なくとも一方の対象温度を検出する温度センサと、前記温度センサにより検出された前記対象温度を取得する温度取得部と、前記温度取得部により取得された前記対象温度が所定温度以上であるか否かを判定する温度判定部と、前記温度判定部により前記対象温度が所定温度以上であると判定された際に、前記開口面積調節手段に前記第２吸入口の開口面積を所定量開口させる開口面積調節制御部とを備えることが好ましい。
【００１４】
本発明によれば、第１冷却対象および前記第２冷却対象のうち少なくとも一方の対象温度に応じて、ファンの第２吸入口の開口面積が調整される。例えば、第１冷却対象の対象温度が上昇すると、ファンの第１吸入口から吸入される空気の温度も上昇する。やがて、温度判定部により第１冷却対象の対象温度が所定温度以上と判定されると、開口面積調節手段によりファンの第２吸入口の開口面積が所定量開口される。すると、第２吸入口からファン内部に吸入される空気量、すなわち、第１吸入口から吸入された高温の空気と混合される空気量が増加するため、吐出口から吐出される空気の温度上昇が抑制される。これにより、プロジェクタの仕様変更および長時間の駆動等により第１冷却対象の対象温度が上昇した場合でも、第２冷却対象を十分に冷却することができる。
従って、本発明のプロジェクタは、第１冷却対象および第２冷却対象の温度変化に素早く対応し、各冷却対象に対し十分な冷却を行うことができる。
【００１５】
本発明では、前記第１冷却対象は、前記光源を駆動する光源駆動ブロックであり、前記第２発熱部は、前記光源および前記光変調装置に電力を供給する電源ブロックであることが好ましい。
光源駆動ブロックは、電源ブロックと比較して、プロジェクタの光源の出力変動による発熱量変化が大きく、また、熱による動作不具合が引き起こされやすい。これに対し、本願発明によれば、ファンによる送風によって、まず光源駆動ブロックを冷却し、次に、電源ブロックを冷却する。すなわち、比較的冷たい空気で光源駆動ブロックを冷却することができるため、光源駆動ブロックの熱による動作不具合を防止することができる。また、光源駆動ブロックの温度変化に応じて、開口面積調節手段がファンの第２吸入口の開口面積を調整することで、吐出口から吐出される空気の温度を、電源ブロックの冷却が十分に可能な温度に維持することができる。
【発明を実施するための最良の形態】
【００１６】
＜第１実施形態＞
本発明の第１実施形態を図１〜図４を参照して説明する。
〔プロジェクタ１の構成〕
図１は、プロジェクタ１の概略構成を模式的に示す図である。
プロジェクタ１は、光源装置４１１から射出される光束を画像情報に応じて変調して光学像を形成し、形成した光学像を投射レンズ３によりスクリーン（図示略）上に拡大投射するものである。
このプロジェクタ１は、図１に示すように、外装筺体２と、投射光学装置としての投射レンズ３と、光学ユニット４と、第１冷却対象としての光源駆動ブロック５と、第２冷却対象としての電源ブロック６と、プロジェクタ１全体を制御する制御装置（図示略）と、光学ユニット４を送風により冷却するシロッコファン（図示略）と、光源駆動ブロック５および電源ブロック６を冷却するシロッコファン７とを備えている。
【００１７】
外装筺体２は、図１に示すように、各構成３〜６等を内部に収納配置する全体略直方体状に形成されている。
外装筐体２は、投射レンズ３の側方に外装筐体２外部の冷却空気を内部に取り込むための吸気口２１が形成され、プロジェクタ１前部における投射レンズ３とは反対側角部に、外装筐体２内の空気を排気するための排気口２２が形成されている。そのほかにも、外装筐体２は、投射レンズ３の下方に吸気口（図示略）が形成されている。
【００１８】
光学ユニット４は、制御装置による制御の下、光源装置４１１から射出された光束を、光学的に処理して画像情報に対応した光学像を形成するユニットである。この光学ユニット４は、図１に示すように、外装筺体２の背面に沿って延出するとともに、外装筺体２の側面に沿って延出する平面視略Ｌ字形状を有している。なお、この光学ユニット４の詳細な構成については、後述する。
投射レンズ３は、光学ユニット４にて形成された光学像をスクリーン上に拡大投射する。この投射レンズ３は、筒状の鏡筒内に複数のレンズが収納された組レンズとして構成されている。
【００１９】
〔光学ユニット４の詳細な構成〕
光学ユニット４は、図１に示すように、照明光学装置４１と、色分離光学装置４２と、リレー光学装置４３と、光学装置４４とを備える。
照明光学装置４１は、光学装置４４を構成する後述する液晶パネルの画像形成領域をほぼ均一に照明するための光学系である。この照明光学装置４１は、図１に示すように、光源装置４１１と、第１レンズアレイ４１２と、集光装置としての第２レンズアレイ４１３と、偏光変換素子４１４と、集光装置としての重畳レンズ４１５とを備える。
【００２０】
光源装置４１１は、図１に示すように、放射状の光線を射出する光源ランプ４１６と、この光源ランプ４１６から射出された放射光を反射し所定位置に収束させるリフレクタ４１７と、リフレクタ４１７にて収束される光束を光軸Ａに対して平行化する平行化凹レンズ４１８とを備える。光源ランプ４１６としては、ハロゲンランプやメタルハライドランプ、高圧水銀ランプが多用される。また、リフレクタ４１７としては、回転楕円面を有する楕円面リフレクタで構成されているが、回転放物面を有する放物面リフレクタで構成してもよい。この場合には、平行化凹レンズ４１８を省略した構成とする。
【００２１】
第１レンズアレイ４１２は、光軸Ａ方向から見て略矩形状の輪郭を有する小レンズがマトリクス状に配列された構成を有している。各小レンズは、光源装置４１１から射出される光束を、複数の部分光束に分割している。
第２レンズアレイ４１３は、第１レンズアレイ４１２と略同様な構成を有しており、小レンズがマトリクス状に配列された構成を有している。この第２レンズアレイ４１３は、重畳レンズ４１５とともに、第１レンズアレイ４１２の各小レンズの像を光学装置４４の後述する液晶パネルの画像形成領域に結像させる機能を有している。
【００２２】
偏光変換素子４１４は、第２レンズアレイ４１３と重畳レンズ４１５との間に配置され、第２レンズアレイ４１３からの光を１種類の偏光光に変換するものである。
具体的に、偏光変換素子４１４によって１種類の偏光光に変換された各部分光は、重畳レンズ４１５によって最終的に光学装置４４の後述する液晶パネルの画像形成領域にほぼ重畳される。偏光光を変調するタイプの液晶パネルを用いたプロジェクタでは、１種類の偏光光しか利用できないため、ランダムな偏光光を発する光源装置４１１からの光の略半分を利用できない。このため、偏光変換素子４１４を用いることで、光源装置４１１からの射出光を略１種類の偏光光に変換し、光学装置４４での光の利用効率を高めている。
【００２３】
色分離光学装置４２は、図１に示すように、２枚のダイクロイックミラー４２１，４２２と、反射ミラー４２３とを備え、ダイクロイックミラー４２１，４２２により照明光学装置４１から射出された複数の部分光束を赤、緑、青の３色の色光に分離する機能を有している。
リレー光学装置４３は、入射側レンズ４３１、リレーレンズ４３３、および反射ミラー４３２，４３４を備え、色分離光学装置４２で分離された色光を赤色光用の液晶パネルまで導く機能を有している。
【００２４】
この際、色分離光学装置４２のダイクロイックミラー４２１では、照明光学装置４１から射出された光束の赤色光成分と緑色光成分とが透過するとともに、青色光成分が反射する。ダイクロイックミラー４２１によって反射した青色光は、反射ミラー４２３で反射し、フィールドレンズ４１９を通って青色光用の液晶パネルに達する。このフィールドレンズ４１９は、第２レンズアレイ４１３から射出された各部分光束をその中心軸（主光線）に対して平行な光束に変換する。他の緑色光および赤色光用の液晶パネルの光入射側に設けられたフィールドレンズ４１９も同様である。
【００２５】
ダイクロイックミラー４２１を透過した赤色光と緑色光のうちで、緑色光はダイクロイックミラー４２２によって反射し、フィールドレンズ４１９を通って緑色光用の液晶パネルに達する。一方、赤色光はダイクロイックミラー４２２を透過してリレー光学装置４３を通り、さらにフィールドレンズ４１９を通って赤色光用の液晶パネルに達する。なお、赤色光にリレー光学装置４３が用いられているのは、赤色光の光路の長さが他の色光の光路の長さよりも長いため、光の拡散等による光の利用効率の低下を防止するためである。すなわち、入射側レンズ４３１に入射した部分光束をそのまま、フィールドレンズ４１９に伝えるためである。なお、リレー光学装置４３には、３つの色光のうち赤色光を通す構成としたが、これに限らず、例えば、青色光を通す構成としてもよい。
【００２６】
光学装置４４は、光変調装置としての３つの液晶パネル４４１（赤色光用の液晶パネルを４４１Ｒ、緑色光用の液晶パネルを４４１Ｇ、青色光用の液晶パネルを４４１Ｂとする）と、３つの入射側偏光板４４２と、３つの射出側偏光板４４３と、クロスダイクロイックプリズム４４４とを備える。
３つの入射側偏光板４４２は、図１に示すように、各フィールドレンズ４１９の光路後段にそれぞれ配置される。これら入射側偏光板４４２は、偏光変換素子４１４で偏光方向が略一方向に揃えられた各色光が入射され、入射された光束のうち、偏光変換素子４１４で揃えられた光束の偏光方位と略同一方向の偏光光のみ透過させ、その他の光束を吸収するものである。これら入射側偏光板４４２は、図示は省略するが、サファイアあるいは水晶等の透光性基板上に偏光膜が貼付された構成を有している。
【００２７】
３つの液晶パネル４４１は、図１に示すように、各入射側偏光板４４２の光路後段にそれぞれ配置される。これら液晶パネル４４１は、図示は省略するが、一対の透明なガラス基板に電気光学物質である液晶が密閉封入された構成を有し、制御装置から出力される駆動信号に応じて、所定の画素位置の前記液晶の配向状態が制御され、各入射側偏光板４４２から射出された偏光光束の偏光方位をそれぞれ変調する。
３つの射出側偏光板４４３は、図１に示すように、各液晶パネル４４１の光路後段にそれぞれ配置される。これら射出側偏光板４４３は、入射側偏光板４４２と略同様の構成を有し、図示は省略するが、透光性基板上に偏光膜が貼付された構成を有している。なお、射出側偏光板４４３を構成する前記偏光膜は、光束を透過する透過軸が、入射側偏光板４４２にて光束を透過する透過軸に略直交するように配置される。
【００２８】
クロスダイクロイックプリズム４４４は、射出側偏光板４４３の光路後段に配置され、各射出側偏光板４４３から射出された色光毎に変調された光学像を合成してカラー画像を形成する光学素子である。このクロスダイクロイックプリズム４４４は、４つの直角プリズムを貼り合わせた平面視正方形状をなし、直角プリズム同士を貼り合わせた界面には、２つの誘電体多層膜が形成されている。これら誘電体多層膜は、液晶パネル４４１Ｒ，４４１Ｂから射出され各射出側偏光板４４３を介した各色光を反射し、液晶パネル４４１Ｇから射出され射出側偏光板４４３を介した色光を透過する。このようにして、各液晶パネル４４１にて変調された各色光が合成されてカラー画像が形成される。
【００２９】
〔光源駆動ブロック５および電源ブロック６の構成〕
次に、光源駆動ブロック５および電源ブロック６について説明する。図１に示すように、光源駆動ブロック５は、投射レンズ３の投射方向に沿って配置され、電源ブロック６は、光源駆動ブロック５の上方において外装筐体２正面に沿って配置されている。
ここでは、説明の便宜上、投射レンズ３の投射方向をＦ−ＲＥ方向とし、投射方向基端側をＲＥ方向、投射方向先端側をＦ方向とする。さらに、外装筐体２正面に沿う方向をＬ−ＲＩ方向とし、光源装置４１１側をＬ方向、光源装置４１１とは反対側をＲＩ方向とする。
図２は、左方側から見た光源駆動ブロック５および電源ブロック６の斜視図、図３は、前方側から見た光源駆動ブロック５および電源ブロック６の斜視図である。
【００３０】
光源駆動ブロック５は、図２に示すように、光源ランプ４１６に電力を供給し、光源ランプ４１６を点灯させる光源駆動回路基板５１と、光源駆動回路基板５１を収納する筐体５２とを備えている。
光源駆動回路基板５１は、電流が通流されることで熱を発生する。
筐体５２は、前端面が開口された外側開口５２１と、電源ブロック６が載置されていない上面後方において円状に形成された円形窓５２２とを備えている。外側開口５２１は、外装筐体２の吸気口２１に対向配置されている。すなわち、筐体５２内と外装筐体２外とは、吸気口２１を介して通風可能となっている。
【００３１】
さらに、筐体５２は、光源駆動回路基板５１よりも一回り大きく、筐体５２内壁および光源駆動回路基板５１の間にはクリアランスが形成されている。これにより、外装筐体２外の空気が、外側開口５２１から筐体５２内へ流入し、クリアランスを介して、円形窓５２２から流出することができる。
【００３２】
電源ブロック６は、図２，図３に示すように、プロジェクタ１内の各構成に電力を供給する電源回路基板６１と、電源回路基板６１を収納する筐体６２とを備えている。
電源回路基板６１は、電流が通流されることで熱を発生する。
筐体６２は、左側端面が開口された外側開口６２１と、後端面の右側に形成された矩形窓６２２とを備えている。外側開口６２１は、外装筐体２の排気口２２に対向配置されている。すなわち、筐体６２内と外装筐体２外とは、排気口２２を介して通風可能となっている。
さらに、筐体６２においても、筐体５２と同様に、筐体６２内壁および電源回路基板６１の間にはクリアランスが形成されている。これにより、矩形窓６２２から筐体６２内に流入された空気が、クリアランスを介して、円形窓５２２から流出することができる。
【００３３】
〔シロッコファン７の構成〕
シロッコファン７は、図２、図３に示すように、光源駆動ブロック５の上面後端部に配置される。シロッコファン７は、光源駆動ブロック５および電源ブロック６を送風により冷却する。
図４は、シロッコファン７を上方から見た斜視図である。
シロッコファン７は、第１吸入口７１（図２、図３）と、第２吸入口７２と、吐出口７３とを備え、吸入口７１，７２から空気を吸入し、吸入された空気を吐出口７３から吐出する。
【００３４】
第１吸入口７１は、シロッコファン７の下面に円状に形成され、光源駆動ブロック５の円形窓５２２に対向配置されている。すなわち、第１吸入口７１は、円形窓５２２を介して筐体５２内の空気を吸入する。
第２吸入口７２は、シロッコファン７の上面に形成され同一の中心を有する３つの円弧状口７２１，７２２，７２３から成る。第２吸入口７２は、外装筐体２内に向けて開口されており、外装筐体２内の空気を吸入する。
第２吸入口７２には、開口面積調節手段としてシート状部材で形成されたシール材８が貼り付けられている。シール材８については、後に詳述する。
【００３５】
吐出口７３は、シロッコファン７の上面および下面を接続する側面の前方側に矩形状に形成され、電源ブロック６の矩形窓６２２に対向配置されている。すなわち、吐出口７３は、第１、第２吸入口７１，７２から吸入された空気を、矩形窓６２２を介して筐体６２内に吐出する。
【００３６】
シロッコファン７が駆動されると、光源駆動ブロック５および電源ブロック６では、次のような空気流路が形成される。すなわち、このシロッコファン７の駆動により、外装筐体２外の空気が、吸気口２１および外側開口５２１を介して筐体５２内に吸気される。そして、筐体５２内に吸気された空気は、光源駆動回路基板５１を冷却しながら後方に送風され、円形窓５２２を介してシロッコファン７の第１吸入口７１に吸入される。第１吸入口７１から吸入された空気は、光源駆動回路基板５１を冷却したことで温度が上昇している。一方、第２吸入口７２から外装筐体２内の空気が吸入されている。
【００３７】
第１吸入口７１からシロッコファン７内に吸入された空気は、シロッコファン７内部において第２吸入口７２から吸入された空気と混合されたのち、吐出口７３から矩形窓６２２を介して筐体６２内に吐出される。
吐出口７３から筐体６２内に吐出された空気は、電源回路基板６１を冷却しながら、左方に送風され、外側開口６２１および排気口２２を介して外装筐体２外へ排気される。このようにして、光源駆動ブロック５および電源ブロック６が冷却される。
【００３８】
シール材８は、プロジェクタ１の製造時に、光源駆動ブロック５の内部温度に応じて貼り付けられたものである。
具体的には、プロジェクタ１の製造前に予めシール材８を第２吸入口７２に貼り付けた状態で、光源駆動ブロック５の内部温度を測定し、内部温度、すなわち吐出口７３から吐出する空気の温度が電源ブロック６の駆動に影響を与えない温度となるように調整しながら、プロジェクタ１を組み立てる。
例えば、光源駆動ブロック５の発熱量が大きい場合には、シール材８は第２吸入口７２の大部分を開口して貼り付けられる。すると、第２吸入口７２から吸入される空気量が多いため、吐出口７３から吐出される空気の温度上昇が抑制される。
【００３９】
前述したように光源駆動ブロック５の内部温度は、光源ランプ４１６の出力値に応じて変動するが、プロジェクタ１の製造時に、内部温度に応じて第２吸入口７２の開口面積をシール材８で調節することで、プロジェクタ１にいかなる出力値の光源ランプ４１６を搭載する場合でも、シロッコファン７による光源駆動ブロック５および電源ブロック６の冷却効率を維持することができる。従って、プロジェクタ１の大規模な構成変更を行うことなく、光源ランプ４１６の出力を増大させるプロジェクタ１の仕様変更が可能となる。
【００４０】
なお、シール材８の着脱は、光源駆動ブロック５の内部温度の他に、プロジェクタ１の仕様変更時に、その仕様条件から推測される光源駆動ブロック５の発熱量変化を判断材料として行われてもよい。
このように、シロッコファン７では、プロジェクタ１の製造時に、光源駆動ブロック５の内部温度に応じて、第２吸入口７２の開口面積がシール材８により調節され、吐出口７１から吐出される空気温度が調節される。
【００４１】
＜第２実施形態＞
本発明の第２実施形態を図５〜図７を参照して説明する。なお、以下の説明では、既に説明した部分と同一または略同一である部分に関しては、同一の符号を付してその説明を省略する。
本実施形態のプロジェクタ１は、前記実施形態と比較して、開口面積調節手段の構成および制御が異なる。
図５は、本実施形態において、開口面積調節手段の制御に関わるプロジェクタ１の機能的構成を示したブロック図、図６は、開口面積調節手段としてのシャッター１０が動作した状態を上方から見た斜視図である。
プロジェクタ１は、図５に示すように、操作パネル２３と、温度センサ９０と、開口面積調節手段としてのシャッター１０と、シャッター１０を制御する制御装置９とを備えている。
【００４２】
操作パネル２３は、外装筐体２外面およびプロジェクタ１を遠隔操作するリモートコントローラ（図示略）に設けられている。操作パネル２３は、複数の操作ボタンを有し、これら操作ボタンの入力操作に応じた操作信号を制御装置９へ出力する。操作信号として、例えば、プロジェクタ１を電源オン／オフさせるための電源オン／オフ信号等が挙げられる。
温度センサ９０は、光源駆動ブロック５の筐体５２内に設置されている。温度センサ９０は、筐体５２内の内部温度Ｔに応じた抵抗値データを計測し、制御装置９に出力している。なお、光源駆動ブロック５の内部温度Ｔは、本発明の対象温度に相当する。
シャッター１０は、図６に示すように、シロッコファン７上方に設けられている。シャッター１０は、制御装置９による制御に従って一端を支点に回転し、第２吸入口７２の円弧状口７２１，７２２，７２３を順に開口・閉塞させる。なお、図６は、シャッター１０により、第２吸入口７２の円弧状口７２１，７２２が閉塞された状態を示している。
【００４３】
制御装置９は、操作パネル２３から出力された各種操作信号を処理する入力信号処理部９１と、メモリ９２と、冷却処理部９３とを備えている。
このうち、メモリ９２は、制御装置９によって処理されるプログラムや各種データが記録されている。例えば、メモリ９２には、プロジェクタ１のシャッター１０の制御に用いるシャッター制御プログラム、および、後述する基準温度Ｔ１，Ｔ２，Ｔ３等が記録されている。
【００４４】
冷却処理部９３は、光源駆動ブロック５内の温度変化に応じてシャッター１０の駆動制御を行う。冷却処理部９３は、温度取得部９３１と、第１温度判定部９３２と、第２温度判定部９３３と、第３温度判定部９３４と、シャッター制御部９３５とを備えている。
温度取得部９３１は、温度センサ９０により検出された抵抗値データを取得すると、当該抵抗値データを解析して光源駆動ブロック５の内部温度Ｔを取得する。
【００４５】
第１、第２、第３温度判定部９３２，９３３，９３４は、温度取得部９３１により取得された内部温度Ｔを、それぞれ基準温度Ｔ１，Ｔ２，Ｔ３と比較する。なお、基準温度Ｔ１，Ｔ２，Ｔ３は、Ｔ１＜Ｔ２＜Ｔ３である。
第１温度判定部９３１は、メモリ９２に記録された基準温度Ｔ１を読み出し、内部温度Ｔが基準温度Ｔ１未満であるか否かを判定する。
第２温度判定部９３２は、第１温度判定部９３１により内部温度Ｔが基準温度Ｔ１以上であると判定された場合に、メモリ９２に記録された基準温度Ｔ２を読み出し、内部温度Ｔが基準温度Ｔ２未満であるか否かを判定する。
【００４６】
第３温度判定部９３４は、第２温度判定部９３３により内部温度Ｔが基準温度Ｔ２以上であると判定された場合に、メモリ９２に記録された基準温度Ｔ３を読み出し、内部温度Ｔが基準温度Ｔ３未満であるか否かを判定する。
シャッター制御部９３５は、各温度判定部９３２，９３３，９３４による判定結果に基づいて、シャッター１０を回転駆動させる。
【００４７】
〔制御装置９の作用〕
制御装置９の作用について、図７を用いて説明する。図７は、制御装置９による冷却処理を説明するためのフロー図である。
図７に示すように、制御装置９の温度取得部９３１は、温度センサ９０により検出された抵抗値データを解析し、光源駆動ブロック５の内部温度Ｔを取得する（Ｓ１）。
次に、第１温度判定部９３２は、処理Ｓ１で取得された内部温度Ｔが基準温度Ｔ１未満であるか否かを判定する（Ｓ２）。
内部温度Ｔが基準温度Ｔ１未満と判定された場合、シャッター制御部９３５は、シャッター１０を駆動して第２吸入口７２を全閉塞させる（Ｓ３）。そして、処理Ｓ９で、入力信号処理部９１は、制御装置９に入力する入力信号を監視する。
【００４８】
一方、処理Ｓ２において内部温度Ｔが基準温度Ｔ１以上と判定された場合、第２温度判定部９３２は、当該内部温度Ｔが基準温度Ｔ２未満であるか否かを判定する（Ｓ４）。
内部温度Ｔが基準温度Ｔ２未満と判定された場合、シャッター制御部９３５は、シャッター１０を駆動して、第２吸入口７２のうち円弧状口７２１のみを開口させる（Ｓ５）。このとき、第２吸入口７２は、全開口面積の１／３が開口される。そして、処理Ｓ９で、入力信号処理部９１は、制御装置９に入力する入力信号を監視する。
【００４９】
一方、処理Ｓ４において、内部温度Ｔが基準温度Ｔ２以上と判定された場合、第３温度判定部９３４は、当該内部温度Ｔが基準温度Ｔ３未満であるか否かを判定する（Ｓ６）。
内部温度Ｔが基準温度Ｔ３未満と判定された場合、シャッター制御部９３５は、シャッター１０を駆動して、第２吸入口７２のうち円弧状口７２１および円弧状口７２２を開口させる（Ｓ５）。このとき、第２吸入口７２は、全開口面積の２／３が開口される。そして、処理Ｓ９において、入力信号処理部９１は、制御装置９に入力する入力信号を監視する。
【００５０】
一方、処理Ｓ６において、内部温度Ｔが基準温度Ｔ３以上と判定された場合、シャッター制御部９３５は、シャッター１０を駆動して第２吸入口７２を全開口させる。そして、処理Ｓ９において、入力信号処理部９１は、制御装置９に入力する入力信号を監視する。
【００５１】
処理Ｓ９において、入力信号処理部９１は、制御装置９に入力する入力信号を監視しており、操作パネル２３から出力される電源オフ指示信号が入力したか否かを判定している。電源オフ指示信号が入力されない場合、処理Ｓ１へ戻り、温度取得部９３１は、光源駆動ブロック５の内部温度Ｔを再度取得する。
一方、電源オフ指示信号が入力された場合、シャッター制御部９３５は、シャッター１０を駆動して第２吸入口７２を全閉塞させる（Ｓ１０）。そして、制御装置９は、冷却処理を終了する。
【００５２】
このように、プロジェクタ１の動作中に、光源駆動ブロック５の内部温度Ｔに応じて、シャッター１０が円弧状口７２１，７２２，７２３を順に開口させることで、第２吸入口７２から吸入される空気量が段階的に増加され、吐出口７３から吐出される空気の温度上昇が抑制される。従って、吐出口７３から吐出される空気によって、電源ブロック６を十分に冷却することができる。
また、プロジェクタ１の光源ランプ４１６の出力を増大させる場合でも、シャッター１０によって第２吸入口７２の開口面積を増大させることで、プロジェクタ１の大規模な構成変更を行うことなく冷却効率を維持することができる。
【００５３】
〔実施形態の変形〕
本発明を実施するための最良の構成などは、以上の記載で開示されているが、本発明はこれに限定されるものではない。すなわち、前記実施形態は、本発明を限定するものではないから、それらの形状、材質などの限定の一部若しくは全部の限定を外した部材の名称での記載は、本発明に含まれるものである。
【００５４】
本発明では、第１冷却対象を電源ブロック６、第２冷却対象を光源駆動ブロック５としてもよい。また、冷却対象は電源ブロックおよび光源駆動ブロックに限らず、第１冷却対象を光学装置４４、第２冷却対象を光源装置４１１としても同様の効果を奏することができる。
第１実施形態においては、電源ブロック６の内部温度に応じてシール材８を貼り付けるようにしてもよい。さらに、前記第２実施形態においても、電源ブロック６内に温度センサを設けて、電源ブロック６の内部温度に応じて、シャッター１０の制御を行っても良い。
また、第２実施形態では、光源ランプ４１６の出力切換に合わせて、シャッター１０を制御してもよい。
前記実施形態では、シロッコファン７の第２吸入口７２は、３つの円弧状開口７２１，７２２，７２３から構成されるとしたが、この円弧状開口の数および形状は限定されるものではない。
【００５５】
また、第２実施形態では、処理Ｓ９で電源オフ信号が入力されたと判定された場合、処理Ｓ１０で第２吸入口７２が全閉塞されて、冷却処理が終了するとした。しかしながら、本発明では、電源オフ信号入力後、シロッコファン７を駆動させたまま第２吸入口７２を全開口し、光源駆動ブロック５の内部温度Ｔが十分に低下するまで待機してもよい。そして、内部温度Ｔが十分に低下した後、シャッター制御部９３５が第２吸入口７２を全閉塞して、冷却処理を終了するようにしてもよい。
【００５６】
前記実施形態では、スクリーンを観察する方向から画像投射を行なうフロントタイプのプロジェクタ１のみを例示したが、本発明は、スクリーンを観察する方向とは反対側から画像投射を行なうリアタイプのプロジェクタにも適用可能である。
前記実施形態では、光学ユニット４が平面視略Ｌ字形状を有した構成を説明したが、これに限らず、例えば、平面視略Ｕ字形状を有した構成を採用してもよい。
さらに、前記実施形態では、光変調装置として、光束入射面と光束射出面とが異なる透過型の液晶パネル４４１を採用したが、光入射面と光射出面とが同一となる反射型の液晶パネルを採用してもよい。
また、前記実施形態では、光変調装置として透過型の液晶パネル４４１を採用していたが、これに限らず、反射型の液晶パネルを採用してもよく、あるいは、マイクロミラーを用いたデバイスを採用してもよい。
【図面の簡単な説明】
【００５７】
【図１】本発明の一実施形態に係るプロジェクタの光学ユニット、光源駆動ブロックおよび電源ブロックを示す模式平面図。
【図２】前記実施形態に係る光源駆動ブロックおよび電源ブロックを側方から見た斜視図。
【図３】前記実施形態に係る光源駆動ブロックおよび電源ブロックを前方から見た斜視図。
【図４】前記実施形態に係るシロッコファンを示す斜視図。
【図５】前記実施形態に係る制御装置の機能的構成を説明するためのブロック図。
【図６】前記実施形態に係るシャッターの動作した状態を上方から見た斜視図。
【図７】前記実施形態に係る制御装置の作用を説明するためのフロー図。
【符号の説明】
【００５８】
１…プロジェクタ、２…外装筐体、３…投射レンズ（投射光学装置）、４１１…光源装置、４４１，４４１Ｒ，４４１Ｇ，４４１Ｂ…液晶パネル（光変調装置）、５…光源駆動ブロック（第１冷却対象）、６…電源ブロック（第２冷却対象）、７…シロッコファン（ファン）、７１…第１吸入口、７２…第２吸入口、７３…吐出口、８…シール材（シール状部材）、９３２…第１温度判定部、９３３…第２温度判定部、９３４…第３温度判定部、９３５…シャッター制御部（開口面積制御部）、１０…シャッター（開口面積調節手段）、Ｔ…内部温度、Ｔ１，Ｔ２，Ｔ３…基準温度。
【図１】
2007219153.tif 000003
【図２】
2007219153.tif 000004
【図３】
2007219153.tif 000005
【図４】
2007219153.tif 000006
【図５】
2007219153.tif 000007
【図６】
2007219153.tif 000008
【図７】
2007219153.tif 000009